(57)【要約】【課題】  インターフォンにおいて、室内にいる人が応答するときに、自身の声とは異なった声で応答できるトリック応答機能を設けたトリック応答機能付きインターフォンを提供する。【解決手段】  インターフォン本体、あるいはインターフォン本体に接続してインターフォンの応答をリモートでおこなう機器（１）に、応答者自身の声で応答する従来機能（２）とは別に、応答者の声とは異なった声で応答するトリック応答音声機能を設け、応答する際に、応答者が自身の声で応答したいか、自身の声と異なる声で応答したいかで、機能を使い分けできるように、応答者自身の声で応答する機能（２）を実行するボタンと、自身の声と異なる声で応答するトリック機能（３）を実行するボタンを設けたことを特徴とする。【選択図】図１
2014017796.tif 000002
【特許請求の範囲】
【請求項１】
インターフォン本体、あるいはインターフォン本体に接続してインターフォンの応答をリモートでおこなう機器（１）に、応答者自身の声と異なった声で応答するトリック応答機能（３）を設けたことを特徴とするトリック応答機能付きインターフォン。
【請求項２】
前記トリック応答機能が、応答者の発する生の声を、別の性別や年齢の声に聞こえるようにリアルタイムで変換した音声で応答するトリック応答機能（４）である請求項１記載のトリック応答機能付きインターフォン。
【請求項３】
前記トリック応答機能が、インターフォン本体、あるいはインターフォン本体に接続してインターフォンの応答をリモートでおこなう機器（１）に、応答音声を内蔵しておき、応答の際に内蔵の応答音声を出力して応答するトリック応答機能（５）である請求項１記載のトリック応答機能付きインターフォン。
【請求項４】
請求項３に記載のトリック応答機能付きインターフォンにおいて、前記内蔵の応答音声を、好みの内容の応答音声にできるように、応答音声の取り込み口（６）と、応答音声を取り込んで内臓の応答音声として保存する機能（７）を設けたトリック応答機能付きインターフォン。
【発明の詳細な説明】
【技術分野】
【０００１】  この発明は、インターフォンにおいて、室内にいる応答者の声とは異なった声で応答する機能を設けたトリック応答機能付きインターフォンに関するものである。
【背景技術】
【０００２】  従来のインターフォンは応答するとき、室内にいる応答者自身の声で応答していた。
【発明の概要】
【発明が解決しようとする課題】
【０００３】  これは、つぎのような欠点があった。
従来、インターフォンで応答するとき、室内にいる応答者自身の声で応答しており、インターフォン越しの訪問者がその声を聞いて、応答者の性別やおよその年齢を把握でき、防犯上不都合な状況があった。とくに、一人暮らしの女性や家族が留守中の高齢者などは、見ず知らずの訪問者に、室内にいるのが女性や高齢者だと把握されないように用心したいので、自身の声で応答するのは不安であった。【０００４】  また、会社などでは、インターフォンの応答をソフトな印象を与える女性の声でしたいと考えていたとしても、社内に女性社員がいなければ、社内にいる男性社員の声で応答するほかなかった。このように、インターフォンでの応答を、応答者自身の声でするのが望ましくない場合があった。本発明は、以上のような欠点をなくすためになされたものである。
【課題を解決するための手段】
【０００５】  本明細書において「トリック応答」とは、インターフォンの応答を、室内にいる応答者自身の声とは異なった声ですることを意味する。「応答者」とは室内側からインターフォンの応答をする人を意味する。「訪問者」とは室外側からインターフォンで室内側の応答者に呼びかけをする人を意味する。【０００６】  第一発明は、インターフォン本体、あるいはインターフォン本体に接続してインターフォンの応答をリモートでおこなう機器（１）に、応答者自身の声で応答する従来機能（２）とは別に、応答者自身の声と異なった声で応答するトリック応答機能（３）を設けたことを特徴とするトリック応答機能付きインターフォンである。【０００７】  また、第二発明は、前記トリック応答機能が、応答者の発する生の声を、別の性別や年齢の声に聞こえるようにリアルタイムで変換した音声で応答するトリック応答機能（４）である第一発明のトリック応答機能付きインターフォンである。【０００８】  また、第三発明は、前記トリック応答機能が、インターフォン本体、あるいはインターフォン本体に接続してインターフォンの応答をリモートでおこなう機器（１）に、応答音声を内蔵しておき、応答の際に内蔵の応答音声を出力して応答するトリック応答機能（５）である第一発明のトリック応答機能付きインターフォンである。【０００９】  さらに、第四発明は、第三発明のトリック応答機能付きインターフォンにおいて、前記内蔵の応答音声を、好みの内容の応答音声にできるように、応答音声の取り込み口（６）と、応答音声を取り込んで内臓の応答音声として保存する機能（７）を設けたトリック応答機能付きインターフォンである。
【発明の効果】
【００１０】  第一発明、または第二発明、または第三発明、または第四発明によれば、インターフォンの応答を、応答者自身の声でしたいときと、応答者の声とは異なった声でしたいときで応答音声を使い分けることができる。応答者の声と異なった声で応答するトリック応答機能を使用すれば、応答者の実際の性別や年齢を、応答音声から訪問者に把握されずにすむ。【００１１】  第四発明によれば、内蔵の応答音声を好みの内容に変更することができ便利である。インターフォンの応答音声の内容を、防犯を考えて男性の声にしたいケースや、接客向けに女性の声で丁寧な言葉遣いにしたいケースなど、さまざまな利用環境で望まれる内容の応答音声にカスタマイズできるので便利である。
【図面の簡単な説明】
【００１２】
【図１】  第一発明の実施形態を示すインターフォンの正面図である。
【図２】  第二発明の実施形態を示すインターフォンの正面図である。
【図３】  第三発明の実施形態を示すインターフォンの正面図である。
【図４】  第四発明の実施形態を示すインターフォンの正面図である。
【課題を実施するための形態】
【００１３】  本明細書において「トリック応答」とは、インターフォンの応答を、室内にいる応答者自身の声とは異なった声ですることを意味する。「応答者」とは室内側からインターフォンの応答をする人を意味する。「訪問者」とは室外側からインターフォンで室内側の応答者に呼びかけをする人を意味する。
【００１４】  以下、本発明を実施するための形態について説明する。
第一発明は、インターフォン本体、あるいはインターフォン本体に接続してインターフォンの応答をリモートでおこなう機器（１）に、応答者自身の声で応答する従来機能（２）とは別に、応答者自身の声と異なった声で応答するトリック応答機能（３）を設ける。応答者自身の声で応答する従来機能（２）と、応答者自身の声と異なった声で応答するトリック応答機能（３）を、応答者がそのときどきで使い分けできるように、それぞれの機能を実行するボタンを、インターフォン本体、あるいはインターフォン本体に接続してインターフォンの応答をリモートでおこなう機器（１）に備える。第一発明は以上のような構造である。
インターフォンで応答するとき、室内にいる応答者が自身の声で応答したい場合は、応答者自身の声で応答する従来機能（２）を実行するボタンを押して話すと、自身の声で応答できる。応答者自身の声と異なった声で応答したい場合は、応答者自身の声と異なった声で応答するトリック応答機能（３）を実行するボタンを押すと、自身の声と異なった声で応答できる。
【００１５】  第二発明は、インターフォン本体、あるいはインターフォン本体に接続してインターフォンの応答をリモートでおこなう機器（１）に、応答者自身の声で応答する従来機能（２）とは別に、応答者の発する生の声を、別の性別や年齢の声に聞こえるようにリアルタイムで変換した音声で応答するトリック応答機能（４）を設ける。応答者自身の声で応答する従来機能（２）と、応答者の発する生の声を、別の性別や年齢の声に聞こえるようにリアルタイムで変換した音声で応答するトリック応答機能（４）を応答者がそのときどきで使い分けできるように、それぞれの機能を実行するボタンを、インターフォン本体、あるいはインターフォン本体に接続してインターフォンの応答をリモートでおこなう機器（１）に備える。第二発明は以上のような構造である。
インターフォンで応答するとき、応答者が自身の声で応答したい場合は、応答者自身の声で応答する従来機能（２）を実行するボタンを押して話すと自身の声で応答できる。
応答者自身の声と異なった声で応答したい場合は、応答者の発する生の声を、別の性別や年齢の声に聞こえるようにリアルタイムで変換した音声で応答するトリック応答機能（４）を実行するボタンを押して話すと、自身の声と異なった声で応答できる。
【００１６】  第三発明は、インターフォン本体、あるいはインターフォン本体に接続してインターフォンの応答をリモートでおこなう機器（１）に、応答者自身の声で応答する従来機能（２）とは別に、応答音声を内蔵しておき、応答の際に内蔵の応答音声を出力して応答するトリック応答機能（５）を設ける。応答者自身の声で応答する従来機能（２）と、応答音声を内蔵しておき、応答の際に内蔵の応答音声を出力して応答するトリック応答機能（５）を応答者がそのときどきで使い分けできるように、それぞれの機能を実行するボタンを、インターフォン本体、あるいはインターフォン本体に接続してインターフォンの応答をリモートでおこなう機器（１）に備える。第三発明は以上のような構造である。
インターフォンで応答するとき、応答者が自身の声で応答したい場合は、応答者自身の声で応答する従来機能（２）を実行するボタンを押して話すと自身の声で応答できる。応答者自身の声と異なった声で応答したい場合は、内蔵の応答音声を出力して応答するトリック応答機能（５）を実行するボタンを押すと、自身の声と異なった声を出力し応答できる。
【００１７】  第四発明は、第三発明のトリック応答機能付きインターフォンにおいて、さらに前記内蔵の応答音声を、好みの内容の応答音声にできるように、応答音声を取り込んで内臓の応答音声として保存する機能（７）を設ける。インターフォン本体、あるいはインターフォン本体に接続してインターフォンの応答をリモートでおこなう機器（１）に、応答音声の取り込み口（６）と、応答音声を取り込んで内臓の応答音声として保存する機能（７）を実行するボタンを備える。第四発明は以上のような構造である。好みの内容の応答音声を、内臓の応答音声にするには、応答音声の取り込み口（６）から応答音声を取り込み、内臓の応答音声として保存する機能（７）を実行するボタンを押せばいい。応答するときは、第三発明と同じように応答することができる。
【符号の説明】
【００１８】  １  インターフォン本体、あるいはインターフォン本体に接続してインターフォンの応答をリモートでおこなう機器
２  応答者自身の声で応答する機能を実行するボタン
３  応答者自身の声と異なった声で応答するトリック応答機能を実行するボタン
４  応答者の発する生の声を、別の性別や年齢の声に聞こえるようにリアルタイムで変換した音声で応答するトリック応答機能を実行するボタン
５  内蔵の応答音声を出力して応答するトリック応答機能を実行するボタン
６  応答音声の取り込み口
７  応答音声を取り込んで内臓の応答音声として保存する機能を実行するボタン
【図１】
2014017796.tif 000003
【図２】
2014017796.tif 000004
【図３】
2014017796.tif 000005
【図４】
2014017796.tif 000006